(57)【要約】【課題】  大地土壌の浸透能力を十分利用して、雨水が大地の地下水として浸透蓄積され、地下水の補充・配管渠淤泥の沈積及び地表雨水の集中を改善できる自然集水式排砂排水管を提供すること。【解決手段】  排水管の中間に配管渠を形成し、前記配管渠内壁面の両側及び下側に数個の孔洞を均等に貫設し、且つ配管渠両側の上縁に溝槽を凹設し、前記溝槽の上に集水口を開設した管蓋を被せ、又、配管渠の一端に連結ホゾを凸設し、他の一端に連結ホゾを凹設し、前記連結ホゾと連結ホゾを相互に連結して複数の排水管によって延々と続く長い排水溝を形成し、前記管蓋の集水口によって地表の雨水を配管渠の中へ流れ込ませ、本案の自然集水式排砂排水管を形成する。【選択図】    図１
0003115445.tif 000002
【実用新案登録請求の範囲】
【請求項１】
管の中間に配管渠を形成し、且つ配管渠内壁及び管底に少なくとも一個以上の内小外大孔洞を均等に貫設すると共に、
前記配管渠両側の上縁にそれぞれ溝槽を凹設し、
更に前記配管渠の一端に連結ホゾを凸設し、他の一端に連結ホゾを凹設したことを特徴とする、
自然集水式排砂排水管。
【請求項２】
前記孔洞は、円錐状の孔洞又はその他の形状であってよいことを特徴とする、請求項１に記載の自然集水式排砂排水管。
【請求項３】
前記孔洞は、雨水及び泥砂を排水管外へ流出させ、且つ地表層へ浸透させるためであることを特徴とする、請求項１に記載の自然集水式排砂排水管。
【請求項４】
前記排水管の底層には砂利層を敷設し、雨水及び泥砂が排水管管底の孔洞から排出しやすいようにしたことを特徴とする、請求項１に記載の自然集水式排砂排水管。
【考案の詳細な説明】
【技術分野】
【０００１】
本考案は、自然集水式排砂排水管、特に雨水排水システムの生態永続性を大幅に向上させ、地下水保育・水害防止・排砂・建設コスト等に対して極めてよい効果と利益をもたらす自然集水式排砂排水管に関する。
【背景技術】
【０００２】
一般に従来型の雨水排水溝は、コンクリート又はその他の材質で予め製造したＵ形管を接続して出来たものであり、そして連続配管渠は予め計画された傾斜角度で設計され、雨水はその底層に密接した配管渠に沿って重力で流動し、且つ収集された雨水が高程設計により漸次下流の主幹管渠及び大排水管へ向かって流れ、最後に河川から海へ流れ出し、雨水排水の目的を達成し、洪水氾濫の恐れを軽減している。従来型底層密閉式排水配管渠の設計観念では、主として配管渠に流入した雨水を出来るだけ早く河川から海へ流出させ、雨水の流れの塞がり及び回流による水害を避けるようにしている。
【０００３】
しかし、このような従来型排水管には、下記のような幾多の欠点がある。
先ず、地表の雨水を配管渠の中へ収集するため、地面の構築方式は、一般に固定して封じる方式をとり、且つセメント又はアスファルト・コンクリート等の材質で地面を舗装し、雨水が排水溝の集水孔へ流れ更に配管渠へ流れるようにしているが、この固定して封じる式の地表構築方式は、一部の地層土壌に対する含水量の不足を招き、特に都市地区では、該地区の地下水が更に汚染・悪化する可能性がある。地表の含水量が低下するため、蒸発効果が思わしくなく、都市の熱島現象も更に悪化する結果となる。
【０００４】
次に、この配管渠システムは、排水期間の地形傾斜変化・間歇性雨量の変化・配管渠付近地表の植栽形式の違いにより、相対的に配管渠システム中の排水流量・流速及び砂の含有量や輸送量に影響を及ぼし、多数の配管渠区間に泥や砂がたまりやすいので、管理部門の経常的清掃保守を必要とする。さもなくば、排水システムが詰まって塞がったり、或は虫や蚊が発生する衛生問題が生じる。このほかに、従来の排水システムでは、地表の排水流量が快速に下流へ向かって累進すると、排水流量のピークが重なって集中するため、中・下流排水配管渠の流量管径の設計容量を拡大しなければならず、相対的に排水システムの建設経費が増大する結果となる。
【０００５】
以上の通り、上述従来型排水溝には、尚幾多の欠点があり、良い設計とは言い難く、改良が待たれていた。
本案考案者は、上述従来型排水溝に派生する各項の欠点に鑑み、極力新規改良を試み、永年苦心研鑽の末、ついに本案に係る自然集水式排砂排水管の研究開発に成功した。
【考案の開示】
【考案が解決しようとする課題】
【０００６】
本考案の目的は、排水管中の管壁及び管底に数個の円錐状の孔洞を開設し、排水管に集水された雨水が自然に孔洞の中に浸透して地層の土壌に流れ込み、大地土壌の浸透能力を十分利用して、雨水が大地の地下水として浸透蓄積され、地下水の補充・配管渠淤泥の沈積及び地表雨水の集中を改善できる自然集水式排砂排水管を提供することにある。
【０００７】
本考案のもう一つの目的は、土壌雨水の浸透率を増進し、地下水の汚染を希釈できるのみならず、地下水の流動も促進することによって、地区の地下水を更新し、地下水質の生態浄化原理にマッチする自然集水式排砂排水管を提供することにある。
【０００８】
本考案のもう一つ別の目的は、土壌含水量を増加させる特性によって、蒸発作用を促進し、且つ都市の熱島現象を緩和させ、土壌中植物の成長状況及び動物の活動に有益で、大地環境中の生物多様性に有利な自然集水式排砂排水管を提供することにある。
【０００９】
本考案の又もう一つ別の目的は、一部の雨水を地下へ浸透させる方式で、配管渠の中に残っている雨水流量を減少させ、排水が間に合わず水害を引き起こす機会を減らすと共に、排水管径の設計面で建設費用も節減でき、或いは同じ管径でも排水能力を向上させる効果があり、水害防止及び雨水排水システム建設の経済性に有利な自然集水式排砂排水管を提供することにある。
【００１０】
本考案の尚もう一つ別の目的は、溝内の沈積砂を溝底・溝壁の孔洞経由で、一部又は全部の沈積砂を集水と共に溝外へ排出することによって、簡単に排砂機能を達成し、且つ配管渠下方の大地地層へ砂を再補充することのできる自然集水式排砂排水管を提供することにある。
【００１１】
本考案の更にもう一つ別の目的は、排水管内に数個の管外へ向かって拡張する円錐状孔洞を開設する設計によって、管体の成型・型板の装着・取り外しなどの製造工程が容易であるのみならず、孔洞排砂時の塞がりを避け、配管渠排水の摩擦力に対して具体的影響を及ぼすこともなく、流速及び流量に影響することもなく、むしろ、沈積砂の減少によって配管渠の流暢性を保つことの出来る自然集水式排砂排水管を提供することにある。
【課題を解決するための手段】
【００１２】
上記考案の目的を達成するため本願の第１考案に係る自然集水式排砂排水管は、排水管と、前記排水管の中間に形成されたＵ形の配管渠と、前記配管渠の管壁及び管底に均等に配置貫設された数個の円錐状孔洞と、前記配管渠両側の上縁にそれぞれ凹設された溝槽と、前記溝槽の上に被せる管蓋と、前記管蓋に開設された管蓋集水口と、前記配管渠の一端に凸設した連結ホゾと、前記配管渠の他端に凹設した連結ホゾと、によって構成される。
前記管蓋を設置することによって異物又は人や車が溝内に落ち込むことを防ぎ、前記管蓋集水口によって降雨後の雨水を集水し、前記配管渠の両端に設けた連結ホゾによって複数の排水管をつなぎ合わせて長く連なる排水溝渠を形成する。地表の降水は前記管蓋集水口を経由して配管渠の中へ流れ込み、且つ溝底・溝壁に開設した円錐状孔洞を通じて、一部又は全部の沈積砂を集水された流水と共に容易く溝外に排出する。このようにして、簡易排砂機能を果し、且つ砂を排水管下方の大地地層にフィードバックし、マルチ機能の自然集水式排砂排水管を達成する。
【００１３】
本願の第２考案は、前記第１考案において、前記孔洞は、円錐状の孔洞又はその他の形状であってよいことを特徴とする。
本願の第３考案は、前記第１考案において、前記孔洞は、雨水及び泥砂を排水管外へ流出させ、且つ地表層へ浸透させるためであることを特徴とする。
本願の第４考案は、前記第１考案において、前記排水管の底層には砂利層を敷設し、雨水及び泥砂が排水管管底の孔洞から排出しやすいようにしたことを特徴とする。
【考案の効果】
【００１４】
本考案に係る自然集水式排砂排水管をその他従来の技術と比較するとき、更に下記のような長所がある。
（１）排水管の中の管壁及び管底に数個の円錐状孔洞を開設することによって、排水管に集水された雨水は自然に孔洞へ浸透し、排水管から地層土壌の中へ流れ、更に大地土壌の浸透能力を十分利用して雨水を大地地下水として浸透蓄積し、地下水の改善・補充、配管渠淤泥の沈積及び流水の集中に役立て、且つ一部分又は全部の積砂を流水に伴って溝外へ排出させ、簡易排砂機能及び砂の大地地層へのフィードバックを達成することが出来る。
（２）本考案は、土壌の雨水浸透率を向上させ、地下水の汚染を希釈するのみならず、地下水の流動も促進して地区の地下水更新を行い、地下水水質の生態浄化原理にマッチした自然集水式排砂排水管を提供することが出来る。
（３）本考案の土壌含水量増加特性を利用して、蒸発作用を促進すると共に、都市熱島現象を緩和し、土壌中植物の成長状況及び動物の活動に有益な大地環境を作り、生物の多様性に役立てることが出来る。
（４）一部分の雨水が地下へ浸透するため、配管渠の中に残留する降雨流量を減少し、排水が間に合わず水害発生を招く機会を低減することが出来、又排水管管径設計の面で建設費用を節減したり、或いは同じ管径で排水能力を向上させる効果があり、洪水防止の効果及び雨水排水システム建設の経済性に有利である。
（５）排水管の管内に数個の管外へ拡張する円錐状の孔洞を開設することによって、管体の成型・型板の装着・取り外しなどの製造工程を容易くするのみならず、更に孔洞から排砂する場合の塞がりを避ける事が出来、配管渠排水の摩擦力に対しても具体的な影響を与えることもなく、流速及び流量に影響することもなく、却って、淤泥が減少するため、配管渠の流れを一層流暢にすることが出来る。
【考案を実施するための最良の形態】
【００１５】
図１〜図４は、本考案の提供する自然集水式排砂排水管であり、主として、排水管１と、前記排水管１の中間に形成されたＵ型の配管渠１１と、配管渠１１の中の管壁及び管底に貫設した少なくとも一個以上の内小外大の形を呈する孔洞１１１と、配管渠１１両側の上縁にそれぞれ凹設された溝槽１２と、配管渠１１の一端に凸設した連結ホゾ１３と、他端に凹設した連結ホゾ１４と、管蓋２と、前記管蓋２の中間の適当な箇所に開設された管蓋集水口２１と、からなる。
【００１６】
前記管蓋集水口２１は、降水を排水管１の配管渠１１の中に集水する為のものである。
前記管蓋２は、排水管１の両溝槽１２の上に被せることによって、異物や人・車が溝の中へ落ち込むのを防ぐ。
【００１７】
前記孔洞１１１は、円錐状又はその他の形状をした孔洞であっても良い。
前記孔洞１１１によって、雨水４及び泥砂５が排水管１から流出し、地表層６の中へ浸透する。
【００１８】
上述構成部品の組成によって、本案の自然集水式排砂排水管を形成する。
前記排水管１を前記連結ホゾ１３及び連結ホゾ１４によって多数連結する方式で（図３に示す如く）、長く連なる排水溝３を形成する；且つ排水管１の底層に砂利層７を敷き詰めて雨水４及び泥砂５が排水管１の管底孔洞１１１から排出しやすいようにして、浸透排水性を増進してもよい。
【００１９】
この場合、地表の雨水４は、管蓋集水口２１から配管渠へ集水され、上部に数個の内小外大の孔洞が開設してあるため、雨水４は自然と溝底及び溝壁の孔洞へ集水されると共に、雨水４に混ざった泥砂５も孔洞１１１から流水に伴って溝外の地表層６へ排出され（図４に示す如く）、排砂の目的を容易に達成すると共に、排水管１下方の大地地層へ砂を回帰させ、生態・集水・水害防止・経済・排砂等の多角的効果と利益をもたらし、最良の雨水水文管理の効果を達成することが出来る。
【００２０】
上述の詳細な説明は、本考案の実行可能な一実施例の具体的説明である。
ただし、この実施例は本考案の特許請求の範囲を制限するものではなく、凡そ本考案の技芸精神を逸脱せずになされた同等効果の実施又は変更は、全て本件の請求の範囲内に含まれるものとする。
【図面の簡単な説明】
【００２１】
【図１】本考案に係る自然集水式排砂排水管の斜視分解図である。
【図２】前記自然集水式排砂排水管の斜視結合図である。
【図３】前記自然集水式排砂排水管を多数接続した略図である。
【図４】前記自然集水式排砂排水管の実施略図である。
【符号の説明】
【００２２】
１・・・・・排水管
１１・・・・配管渠
１１１・・・孔洞
１２・・・・溝槽
１３・・・・連結ホゾ
１４・・・・連結ホゾ
２・・・・・管蓋
２１・・・・管蓋集水口
３・・・・・排水溝
４・・・・・雨水
５・・・・・泥砂
６・・・・・地表層
７・・・・・砂利層
【図１】
0003115445.tif 000003
【図２】
0003115445.tif 000004
【図３】
0003115445.tif 000005
【図４】
0003115445.tif 000006